(57)【要約】【課題】窒素ガスの消費量を削減して窒素発生装置のキャパシティを小さくできるようにする。【解決手段】ホッパ１、破砕機２、ミキサー３、圧送ポンプ４、輸送管５、焼却炉６を順に気密性を維持できるよう接続して密閉式廃棄物焼却処理設備を形成する。ホッパ１の上流側にインターロッキングチャンバ１２，１４を設ける。窒素発生装置１５に接続したリザーバタンク２３に、破砕機２、ミキサー３、インターロッキングチャンバ１２，１４、その他の設備各部を、開閉弁２４付きの窒素封入管１６ａを介しそれぞれ接続する。酸素濃度センサ２５より入力される信号に応じて各開閉弁２４へ間欠的な開閉指令を与える制御器２６を備える。酸素濃度が４％以上になると、各開閉弁２４を間欠的に開閉させて、窒素ガス１７の封入と拡散を交互に行なわせ、少量の窒素ガス１７で効率よく設備系内に低酸素状態を形成させる。【選択図】図１
2005207684.tif 000002
【特許請求の範囲】
【請求項１】
上流側より順にホッパ、破砕機、ミキサー、圧送ポンプ、輸送管、焼却炉を密閉状態を維持できるように備えて、ホッパに投入した各種廃棄物を破砕機にて破砕した後、ミキサーにてミキシングして高粘度廃棄物とし、該高粘度廃棄物を、圧送ポンプにて輸送管を通して焼却炉へ圧送して焼却処理するようにしてある密閉式廃棄物焼却処理設備の系内に、該系内の酸素濃度を低下させるべく不活性ガスを封入させるときに、該不活性ガスの封入を間欠的に行なうようにすることを特徴とする密閉式廃棄物焼却処理設備の不活性ガス封入方法。
【請求項２】
上流側より順にホッパ、破砕機、ミキサー、圧送ポンプ、輸送管、焼却炉を密閉状態を維持できるように備えて、ホッパに投入した各種廃棄物を破砕機にて破砕した後、ミキサーにてミキシングして高粘度廃棄物とし、該高粘度廃棄物を、圧送ポンプにて輸送管を通して焼却炉へ圧送して焼却処理するようにしてある密閉式廃棄物焼却処理設備において、該設備の所要個所に、途中に開閉弁を備えた不活性ガス封入管の先端側をそれぞれ接続すると共に、該各不活性ガス封入管の基端部を、不活性ガス供給源に接続してあるリザーバタンクにそれぞれ接続し、更に、上記各不活性ガス封入管上の開閉弁へ、間欠的に開放させるための指令を与える制御器を備えた構成を有することを特徴とする密閉式廃棄物焼却処理設備の不活性ガス封入装置。
【請求項３】
密閉式廃棄物焼却処理設備の系内に不活性ガスを封入している個所に、設備系内の酸素濃度を検出する酸素濃度センサを設け、該酸素濃度センサにて検出される設備系内の酸素濃度が４％以上のときに不活性ガス封入管上の開閉弁に、間欠的に開放させるための指令を与える機能を制御器にもたせた請求項２記載の密閉式廃棄物焼却処理設備の不活性ガス封入装置。
【発明の詳細な説明】
【技術分野】
【０００１】
本発明は上流側より順にホッパと破砕機とミキサーと圧送ポンプと焼却炉を密閉状態を維持できるように連結して備えて、ホッパに投入した産業廃棄物や都市ごみ等の一般廃棄物を破砕機にて破砕した後、ミキサーにより混練して高粘度廃棄物とし、該高粘度廃棄物を、圧送ポンプにて焼却炉へ圧送して焼却処理するようにしてある密閉式廃棄物焼却処理設備にて処理対象物の爆発や引火を防止すべく設備系内に不活性ガスを封入するために用いる密閉式廃棄物焼却処理設備の不活性ガス封入方法及び装置に関するものである。
【背景技術】
【０００２】
近年、産業廃棄物の処理は、深刻な社会問題の１つとなっている。産業廃棄物の排出量は年々増加しているが、その処理方法としては、有害物質の自然界への投棄による公害や大気汚染等の問題、最終処分場の問題等により、埋立処理に関する法規制が一層厳しくなり、今日では焼却処理が主流になってきている。
【０００３】
このように産業廃棄物を焼却処理する場合、産業廃棄物の中でも特にドラム缶等の容器に密閉状態に詰めた状態で集積、運搬等の取り扱いを行う廃油や、廃塗料、廃溶剤等の化学系廃棄物や重金属を含む可燃性廃棄物、あるいは、医療系廃棄物の如き事業系産業廃棄物は、その取り扱いが大変難しいため、これらの産業廃棄物が大気に曝されたり、作業者がこれらの産業廃棄物に接触する虞がない状態で処理できるようにすることが望まれる。
【０００４】
そのため、これらドラム缶に収納した状態で搬入された産業廃棄物を、殆ど人手を介さずに完全密閉式の状態のままで焼却処理できるようにして、ドラム缶の蓋を開けて中から取り出すときに作業者が産業廃棄物に曝される虞を排除できると共に、産業廃棄物を取り出したドラム缶の後処理工程を不要にでき、更に、完全密閉式であるため、防臭が可能であると共に、衛生的である等の利点を有する密閉式の廃棄物焼却処理設備が開発されてきている。
【０００５】
かかる密閉式廃棄物焼却処理設備は、図２にその一例の概略を示す如く、上流から順にホッパ１、二軸破砕機の如き破砕機２、ミキサー（混練装置）３、ピストンポンプの如き圧送ポンプ４、輸送管５、ロータリーキルンの如き焼却炉６、その他、必要な排ガス処理装置等（図示せず）を密閉状態を維持できるように連結して備えた構成としてある。これにより、ドラム缶７内に密閉状態に詰められた産業廃棄物を、ドラム缶７の蓋を開けることなくドラム缶７ごとホッパ１内に投入した後、破砕機２にてドラム缶７を破砕することにより該ドラム缶７に詰められていた産業廃棄物の取り出しを行うと同時に、ドラム缶７自体を、後段のミキサー３による混練や圧送ポンプ４による圧送時に支障の出ない細かいサイズにまで破砕する。又、この際、ホッパ１に、コンテナ８内に入れられていた雑芥等の一般廃棄物９を産業廃棄物の輸送補助媒体（キャリア）として一緒に投入して破砕機２にて細かく破砕させるようにする。その後、上記破砕機２にて破砕された破砕物を、ミキサー３に供給して混練（ミキシング）させることにより、ポンプ圧送可能な性状を備えた均質な廃棄物の高粘度廃棄物１０を形成させるようにしてある。しかる後、上記ミキサー３にて形成された高粘度廃棄物１０を、圧送ポンプ４により輸送管５を通して圧送して焼却炉６内に投入させ、該焼却炉６にて焼却処理させるようにしてある。
【０００６】
ところで、上記破砕機２では、ドラム缶７等の処理物を破砕するときに火花が発生する場合がある。一方、上記ドラム缶７に詰められている焼却処理すべき産業廃棄物には溶剤等の爆発性あるいは引火性を有する物質が含まれることがあり、このために、ドラム缶７が上記ホッパ１に投入された後、破砕機２にて破砕されて開封処理されたり、破砕処理、粉砕処理が行われるときには、爆発性や引火性を有するガスが発生することがある。したがって、たとえ、上記破砕機２におけるドラム缶７に詰められている産業廃棄物の開封処理、破砕処理、粉砕処理に伴って爆発性や引火性を有するガスが発生したとしても、該ガスの爆発や引火を防止できるようにする必要がある。
【０００７】
そのために、上記ホッパ１におけるドラム缶７の投入部となるドラム缶搬送コンベヤ１１の下流側端部との接続部に、インターロッキングチャンバ１２を介在させて設けると共に、上記ホッパ１におけるコンテナ８に収容された一般廃棄物９を投入するためのコンテナリフト１３の下流側端部との接続部に、インターロッキングチャンバ１４を介在させて設け、且つ上記各インターロッキングチャンバ１２，１４に、不活性ガスの発生源としての窒素発生装置１５を、窒素封入管１６を介しそれぞれ接続した構成としてある。これにより、上記ドラム缶搬送コンベヤ１１にて搬送されるドラム缶７は、上記インターロッキングチャンバ１２内に一旦受け入れると共に、該インターロッキングチャンバ１２内に上記窒素発生装置１５より窒素封入管１６を経て導かれる窒素ガス１７を封入させることにより、ドラム缶７の周りの雰囲気を窒素ガス１７雰囲気に置換させた後、上記ホッパ１へ投入させるようにする。一方、上記コンテナ８に収容された一般廃棄物９は、コンテナ８と一体にコンテナリフト１３にて搬送した後、該コンテナ８内より上記インターロッキングチャンバ１４内へ一旦受け入れさせ、上記ドラム缶７の場合と同様に上記窒素発生装置１５より窒素封入管１６を経て導かれる窒素ガス１７を封入させることで、該一般廃棄物９の周りの雰囲気を窒素ガス１７雰囲気に置換させた後、上記ホッパ１へ投入させるようにしてある。
【０００８】
更に、上記破砕機２、ミキサー３、及び、その他の設備各部の図示しない所要個所に、上記窒素封入管１６と同様に窒素発生装置１５より導いた窒素ガス１７を封入するための窒素封入管１６をそれぞれ接続して、窒素ガス１７を上記破砕機２、ミキサー３、その他の設備各部へ常時封入させることができるようにしてある。
【０００９】
したがって、上記各インターロッキングチャンバ１２，１４により、ホッパ１内に投入されるドラム缶７や一般廃棄物９に同伴されて外部の空気が進入することを防止すると共に、各窒素封入管１６から破砕機２及びミキサー３へ適宜窒素ガス１７を封入してパージさせることにより、設備内部の酸素濃度が一定濃度以下（たとえば、４％以下）に保持されるようにして、上記破砕機２におけるドラム缶７に詰められた産業廃棄物の開封処理、破砕処理、粉砕処理に伴い系内で爆発性や引火性のガスが発生しても火災の発生を未然に防止できるようにしてある（たとえば、特許文献１参照）。
【００１０】
又、上記破砕機２の下流側で且つ混練装置３の上流側位置に、タンクローリー等により搬入される排油や溶剤等の廃液１８を受け入れて貯留するようにしてある廃液受入槽１９より廃液１８を導くことができるようにしてある廃液供給管２０を接続すると共に、上記廃液受入槽１９の内底部に溜まるスラッジ２１を搬送できるようにしてあるチェーンコンベヤの如きスラッジ供給装置２２を接続した構成として、上記破砕機２にて破砕された破砕物をミキサー３へ供給して混練させるときに、必要に応じて上記廃液受入槽１９より上記廃液供給管２０を経て導かれる廃液１８や、スラッジ供給装置２２にて搬送されるスラッジ２１を、それぞれ粘度調整成分として添加して共に混練させることにより、該ミキサー３内で形成される高粘度廃棄物１０の粘度を調整させるようにすることも従来提案されてきている（たとえば、特許文献２参照）。
【００１１】
なお、従来、可燃性の内部ガスが発生する虞のある装置にて、該内部ガスの発火、引火を未然に防止できるよう装置内へ不活性ガスを封入する際の該不活性ガスの封入量を制御する手法としては、たとえば、赤熱コークスを不活性ガスの循環により乾式消火するコークス乾式消火設備にて、上流側に冷却塔の底部から冷却コークスを切り出すための上部ゲート弁を有し、下流側に切出されたコークスを一定量貯留した後これを外部へ切り出すための下部ゲート弁を有する切出用中間バンカ内へ、該中間バンカに設けた可燃成分濃度検知器にて検知される中間バンカ内の可燃性成分の濃度に応じた流量となるよう不活性ガスを常時供給しておき、更に、この不活性ガスの常時供給状態においても、万一、上記中間バンカに設けた発火検知器にて該中間バンカ内における火災の発生が検知された場合には、上記不活性ガスの流量を増大させて消火を図るようにする引火防止装置が従来提案されている（たとえば、特許文献３参照）。
【００１２】
又、燃料電池本体が収納されている電池容器内に、燃料電池本体からのカソードガス、アノードガスのリークに伴って酸素や可燃性ガス等の爆発の起因となるガスが漏れ出た場合に、該電池容器内へ不活性ガスを供給することにより、上記爆発の起因となるガスを希釈すると共に容器外部へ排出させて、爆発を未然に防止できるようにするための燃料電池容器ガスの供給機構において、上記電池容器に酸素濃度検知器又は可燃性ガス濃度検知器を取り付け、これらの検知器により、アノードガス、カソードガスのリークにより爆発の起因となる酸素又は可燃性ガス等のガスの上記電池容器内における濃度を検出し、検出される濃度が、爆発を起こす虞のない値に予め設定してある規定値の範囲内にあるときには、上記電池容器への不活性ガスの供給を停止させるようにしておき、上記検知器による爆発の起因となるガスの検出濃度が上記規定値を超える場合にのみ、上記電池容器内へ不活性ガスの供給を行なわせるようにして、これにより、不活性ガスの消費量の低減化を図るようにすることも従来提案されている（たとえば、特許文献４参照）。
【００１３】
【特許文献１】特開２００３−１５４２５２号公報
【特許文献２】特開２００３−１３０３２０号公報
【特許文献３】実公昭６２−３４９７７号公報
【特許文献４】特開平５−２６６９０５号公報
【発明の開示】
【発明が解決しようとする課題】
【００１４】
ところが、上記図２に示した従来の密閉式廃棄物焼却処理設備は、破砕機２、ミキサー３、各インターロッキングチャンバ１２，１４に、窒素発生装置１５より窒素封入管１６を経て導かれる不活性ガスである窒素ガス１７を常時封入させるようにしてあるため、爆発性、引火性を有する産業廃棄物の詰められたドラム缶７を処理する場合であっても装置内における火災の発生を未然に防止して安全に処理できるものである。しかし、窒素ガス１７を連続的に供給して封入させるようにしてあるために、窒素ガス１７の消費量が多く、このため、該窒素ガス１７の供給源である窒素発生装置１５としてはキャパシティの大きなものを使用しなければならないというのが実状である。
【００１５】
なお、特許文献３に記載されたものは、コークス乾式消火設備における切出用中間バンカ内へ、該中間バンカ内の可燃性成分の濃度に応じた流量となるよう不活性ガスを常時供給し、更に、万一、上記中間バンカ内に火災が発生した場合には、上記不活性ガスの流量を増大させて消火を図るようにしたものであるため、上記切出用中間バンカ内における可燃性成分の引火の防止には有効である。しかし、本発明の対象とする密閉式廃棄物焼却処理設備では、処理すべきドラム缶７に詰められている産業廃棄物は一定ではなく、そのため、破砕機２で各ドラム缶７の産業廃棄物の開封処理、破砕処理、粉砕処理を行うときに発生する爆発性、引火性のガスは、その成分や発生量が非連続的に変化することがある。
そのため、上記特許文献３に記載された手法のように、系内の可燃性成分の濃度を検出し、該検出濃度に応じて不活性ガスである窒素ガスの供給量を制御することは難しい。更に、火災の発生を検知してから不活性ガスである窒素ガスの供給量を増大させるという対応は、ドラム缶７内に詰められた産業廃棄物より爆発性のガスが発生する場合に、該ガスの爆発の阻止を確実に行なう対策としては不十分になる虞も懸念される。
【００１６】
特許文献４に記載されたものは、燃料電池本体を収納している電池容器内への燃料電池本体からのカソードガス、アノードガスのリーク時に、上記電池容器内における爆発の起因となるガスの検出濃度に応じて、上記電池容器への不活性ガスの供給停止状態と供給状態とを切り換えさせるものであるため、上記電池容器内における爆発の起因となるガスの爆発を未然に防止する対策としては有効である。しかし、上記電池容器への不活性ガスの供給時に、後述する本発明の密閉式廃棄物焼却処理設備の不活性ガス封入方法及び装置のように、不活性ガスの供給を間欠的に行なうようにするという考えは全く示されていない。
【００１７】
そこで、本発明は、密閉式廃棄物焼却処理設備にて、爆発性、引火性を有する産業廃棄物の詰められたドラム缶を処理する場合であっても装置内における火災の発生を未然に防止できるよう不活性ガスを封入させる際の不活性ガスの消費量を低減できて、該不活性ガスの供給源に要求されるキャパシティを小さくすることができる密閉式廃棄物焼却処理設備の不活性ガス封入方法及び装置を提供しようとするものである。
【課題を解決するための手段】
【００１８】
本発明は、上記課題を解決するために、上流側より順にホッパ、破砕機、ミキサー、圧送ポンプ、輸送管、焼却炉を密閉状態を維持できるように備えて、ホッパに投入した各種廃棄物を破砕機にて破砕した後、ミキサーにてミキシングして高粘度廃棄物とし、該高粘度廃棄物を、圧送ポンプにて輸送管を通して焼却炉へ圧送して焼却処理するようにしてある密閉式廃棄物焼却処理設備の系内に、該系内の酸素濃度を低下させるべく不活性ガスを封入させるときに、該不活性ガスの封入を間欠的に行なうようにする密閉式廃棄物焼却処理設備の不活性ガス封入方法、及び、上流側より順にホッパ、破砕機、ミキサー、圧送ポンプ、輸送管、焼却炉を密閉状態を維持できるように備えて、ホッパに投入した各種廃棄物を破砕機にて破砕した後、ミキサーにてミキシングして高粘度廃棄物とし、該高粘度廃棄物を、圧送ポンプにて輸送管を通して焼却炉へ圧送して焼却処理するようにしてある密閉式廃棄物焼却処理設備において、該設備の所要個所に、途中に開閉弁を備えた不活性ガス封入管の先端側をそれぞれ接続すると共に、該各不活性ガス封入管の基端部を、不活性ガス供給源に接続してあるリザーバタンクにそれぞれ接続し、更に、上記各不活性ガス封入管上の開閉弁へ、間欠的に開放させるための指令を与える制御器を備えた構成を有する密閉式廃棄物焼却処理設備の不活性ガス封入装置とする。
【００１９】
更に、上記構成における密閉式廃棄物焼却処理設備の系内に不活性ガスを封入している個所に、設備系内の酸素濃度を検出する酸素濃度センサを設け、該酸素濃度センサにて検出される設備系内の酸素濃度が４％以上のときに不活性ガス封入管上の開閉弁に、間欠的に開放させるための指令を与える機能を制御器にもたせた構成とする。
【発明の効果】
【００２０】
本発明によれば、以下の如き優れた効果を発揮する。 
（１）上流側より順にホッパ、破砕機、ミキサー、圧送ポンプ、輸送管、焼却炉を密閉状態を維持できるように備えて、ホッパに投入した各種廃棄物を破砕機にて破砕した後、ミキサーにてミキシングして高粘度廃棄物とし、該高粘度廃棄物を、圧送ポンプにて輸送管を通して焼却炉へ圧送して焼却処理するようにしてある密閉式廃棄物焼却処理設備の系内に、該系内の酸素濃度を低下させるべく不活性ガスを封入させるときに、該不活性ガスの封入を間欠的に行なうようにする密閉式廃棄物焼却処理設備の不活性ガス封入方法、及び、上流側より順にホッパ、破砕機、ミキサー、圧送ポンプ、輸送管、焼却炉を密閉状態を維持できるように備えて、ホッパに投入した各種廃棄物を破砕機にて破砕した後、ミキサーにてミキシングして高粘度廃棄物とし、該高粘度廃棄物を、圧送ポンプにて輸送管を通して焼却炉へ圧送して焼却処理するようにしてある密閉式廃棄物焼却処理設備において、該設備の所要個所に、途中に開閉弁を備えた不活性ガス封入管の先端側をそれぞれ接続すると共に、該各不活性ガス封入管の基端部を、不活性ガス供給源に接続してあるリザーバタンクにそれぞれ接続し、更に、上記各不活性ガス封入管上の開閉弁へ、間欠的に開放させるための指令を与える制御器を備えた構成を有する密閉式廃棄物焼却処理設備の不活性ガス封入装置としてあるので、制御器からの指令に基づいて開閉弁を間欠的に開操作させることに伴って、不活性ガス封入管より設備系内へ不活性ガスの封入を行った後、該不活性ガスの封入を中止しているときに、先行する開閉弁の開操作時に装置内に封入させた不活性ガスを、設備系内へ拡散させることができ、このため、不活性ガスの封入と拡散を交互に行なうことにより、少量の不活性ガスで効率よく設備系内に低酸素状態を形成させることができる。 
（２）又、不活性ガス供給源より連続的に供給される不活性ガスは、不活性ガス封入管上の開閉弁を閉止させているときにはリザーバタンクに溜めることができるため、次に各不活性ガス封入管上の開閉弁を開操作して該各不活性ガス封入管より設備系内へ窒素ガスを封入させる際には、不活性ガスの封入を一気に行わせることができる。このため、上記不活性ガス供給源に要求されるキャパシティを従来に比して小さくすることが可能になる。
（３）密閉式廃棄物焼却処理設備の系内に不活性ガスを封入している個所に、設備系内の酸素濃度を検出する酸素濃度センサを設け、該酸素濃度センサにて検出される設備系内の酸素濃度が４％以上のときに不活性ガス封入管上の開閉弁に、間欠的に開放させるための指令を与える機能を制御器にもたせた構成とすることにより、密閉式廃棄物焼却処理設備系内の酸素濃度が４％未満のときには、該設備系内への不活性ガスの封入を停止させることができるため、不活性ガスの消費量の更なる低減化を図ることができる。
【発明を実施するための最良の形態】
【００２１】
以下、本発明を実施するための最良の形態を図面を参照して説明する。
【００２２】
図１は本発明の密閉式廃棄物焼却処理設備の不活性ガス封入方法及び装置の実施の一形態を示すもので、図２に示したと同様の構成としてある密閉式廃棄物焼却処理設備における不活性ガス供給源としての窒素発生装置１５に、リザーバタンク２３を接続する。図２に示した窒素封入管１６と同様に、先端側をそれぞれ破砕機２、ミキサー３、各インターロッキングチャンバ１２，１４、その他の設備各部の図示しない所要個所に接続した不活性ガス封入管としての窒素封入管１６ａの基端部を、それぞれ上記リザーバタンク２３に接続し、該各窒素封入管１６ａの途中に開閉弁２４を取り付ける。更に、少なくとも破砕機２の付近を含む設備各部の所要個所に、設備系内の酸素濃度を検出するための酸素濃度センサ２５を設ける（図では、破砕機２の上流側近傍位置に設けた場合を示してある）と共に、該酸素濃度センサ２５より入力される酸素濃度の検出信号に基づいて、上記各窒素封入管１６ａ上の開閉弁２４に対して間欠的な開閉指令を与えるための制御器２６を備える。
【００２３】
詳述すると、上記制御器２６は、上記酸素濃度センサ２５によって検出される酸素濃度が４％以上になると、各窒素封入管１６ａ上の各開閉弁２４へ所要の時間間隔で開放状態が所要時間継続するよう開閉指令を与えて、上記各開閉弁２４を間欠的に、たとえば、１０秒間の開放状態と２０秒間の閉止状態を交互に繰り返させるよう開閉を行なわせることができるようにしてある。
【００２４】
なお、その他の構成は図２に示したものと同様であり、同一のものには同一符号が付してある。
【００２５】
上記本発明の密閉式廃棄物焼却処理設備の不活性ガス封入装置を使用する場合、上記窒素発生装置１５は連続的に運転して、上記各開閉弁２４を閉止状態としている間も窒素ガス１７を発生させることができるようにしておく。
【００２６】
この状態において、密閉式廃棄物焼却処理設備を従来と同様に運転すると、産業廃棄物を詰めたドラム缶７内に、該産業廃棄物と一緒に空気が入り込んでいた場合には、破砕機２にて該ドラム缶７が破砕されて内部に入っていた空気が放出されることに伴い、上記密閉式廃棄物焼却処理設備の設備系内における酸素濃度が高まることがある。この際、酸素濃度センサ２５により設備系内の酸素濃度が４％以上であると検出されると、該酸素濃度センサ２５の検出信号に基づいて、制御器２６より各窒素封入管１６ａ上の開閉弁２４に上記したような間欠的な開閉指令が与えられる。この際、上記各窒素封入管１６ａ上の開閉弁２４が開操作されるときには、上記窒素発生装置１５よりリザーバタンク２３を経て各窒素封入管１６ａに導かれる窒素ガス１７が、該各窒素封入管１６ａより破砕機２、ミキサー３、インターロッキングチャンバ１２，１４及びその他の設備各部の所要個所へ封入される。次いで、上記制御器２６からの指令により上記各窒素封入管１６ａ上の各開閉弁２４が閉止させられる。この該各開閉弁２４の閉止中、すなわち、窒素ガス１７の封入中止中には、上記設備系内では、先行する開閉弁の開操作時に該設備系内へ封入された窒素ガス１７が拡散される。又、該窒素ガス１７の封入中止中には、上記窒素発生装置１５にて製造される窒素ガス１７はリザーバタンク２３に溜められる。
【００２７】
その後、制御器２６からの指令により再び上記各窒素封入管１６ａ上の開閉弁２４が開操作されると、上記リザーバタンク２３に溜められていた窒素ガス１７が、各窒素封入管１６ａより一気に設備系内へ封入される。
【００２８】
しかる後、上記各窒素封入管１６ａからの設備系内への窒素ガス１７の封入と、封入中止中における該窒素ガス１７の設備系内への拡散を交互に行なわせることにより、少量の窒素ガス１７で設備系内を効率よく低酸素状態とさせることができる。上記制御器２６による各窒素封入管１６ａ上の開閉弁２４の間欠的な開閉操作に伴う窒素ガス１７の設備系内への封入は、酸素濃度センサ２５によって検出される設備系内の酸素濃度が４％未満となるまで継続される。このため、上記密閉式廃棄物焼却処理設備の設備系内は、酸素濃度が４％未満となるように常に制御されるようになる。したがって、爆発性や引火性のある産業廃棄物が詰められたドラム缶７がホッパ１へ投入され、破砕機２にて破砕されて開封処理、破砕処理、粉砕処理が行われる場合に、爆発性や引火性のあるガスが発生しても、該ガスの爆発や引火は未然に防止することができる。
【００２９】
更に、上記窒素発生装置１５は窒素ガス１７を連続的に製造させるようにしてあると共に、各窒素封入管１６ａ上の各開閉弁２４を閉止させる窒素ガス１７の封入中止中に上記窒素発生装置１５で製造される窒素ガス１７は、リザーバタンク２３に溜めて、次に上記各不活性ガス封入管１６ａ上の開閉弁２４を開操作する窒素ガス封入時に有効利用できるようにしてあるため、上記窒素発生装置１５に要求されるキャパシティを従来に比して小さくすることが可能になる。
【００３０】
なお、本発明は上記実施の形態のみに限定されるものではなく、密閉式廃棄物焼却処理設備の系内に封入させる不活性ガスとしては、窒素ガス１７を用いるものとして説明したが、酸素濃度が０〜１％程度と通常空気の酸素濃度２１％に比して低い気体であれば、たとえば、アルゴン、ヘリウム、二酸化炭素、水蒸気、もしくはそれぞれの混合気体等、窒素以外の不活性ガスを使用してもよい。窒素ガス１７の供給源となる窒素発生装置１５としては、圧力スウィング（ＰＳＡ：pressure swing absorption）装置や液体窒素のタン
ク等を採用でき、更には、窒素ガス供給源としては、外部より窒素ガス１７を導くパイプラインを採用するようにしてもよい。同様に、上記した窒素以外の不活性ガスの供給源としては、該各不活性ガスのタンクからの供給、更に、不活性ガスとして水蒸気を使用する場合には、該水蒸気の供給源として各種ボイラからの供給等、使用する不活性ガスを連続供給できれば、任意の不活性ガス供給源を使用するようにしてよい。酸素濃度センサ２５は、設備系内の複数個所における酸素濃度を検出できるよう複数個設けるようにしてもよい。制御器２６による各窒素封入管１６ａ上の開閉弁２４の間欠的な開閉操作は、１０秒間開放して２０秒間閉止させるものとして説明したが、開放と閉止の継続時間は、それぞれ変更してもよい。その他本発明の要旨を逸脱しない範囲内において種々変更を加え得ることは勿論である。
【図面の簡単な説明】
【００３１】
【図１】本発明の密閉式廃棄物焼却処理設備の不活性ガス封入方法及び装置の実施の一形態の概要を示す図である。
【図２】従来用いられている密閉式廃棄物焼却処理設備の概要を示す図である。
【符号の説明】
【００３２】
１  ホッパ
２  破砕機
３  ミキサー
４  圧送ポンプ
５  輸送管
６  焼却炉
７  ドラム缶（廃棄物）
９  一般廃棄物（廃棄物）
１０  高粘度廃棄物
１５  窒素発生装置（不活性ガス供給源）
１６ａ  窒素封入管（不活性ガス封入管）
２３  リザーバタンク
２４  開閉弁
２５  酸素濃度センサ
２６  制御器
【図１】
2005207684.tif 000003
【図２】
2005207684.tif 000004